【手続補正書】
【提出日】平成24年11月14日(2012.11.14)
【手続補正１】
【補正対象書類名】特許請求の範囲
【補正対象項目名】全文
【補正方法】変更
【補正の内容】
【特許請求の範囲】
【請求項１】
オーディオデータの出力を制御するオーディオ出力装置と接続されている出力制御装置において、
複数チャンネル分のオーディオデータが符号化された符号化データを受信する受信手段と、
前記符号化データを復号する復号手段と、
復号により得られる前記複数チャンネル分のオーディオデータのうち、所定数のチャンネル分のオーディオデータの出力を制御する出力制御手段と、
復号により得られる前記複数チャンネル分のオーディオデータのうち、前記出力制御手段により出力が制御されたオーディオデータとは異なるオーディオデータ、又は前記符号化データのいずれか一方を、少なくとも、ビデオライン、オーディオライン、及び制御ラインが統合されている統合ケーブルを介して接続されているオーディオ出力装置に送信する送信手段と、
前記オーディオ出力装置を、前記統合ケーブルを介して制御する制御手段と
を含む出力制御装置。
【請求項２】
前記制御手段は、前記オーディオ出力装置を制御して、前記オーディオ出力装置が出力するオーディオデータに対応する音声の音量を調整する
請求項１に記載の出力制御装置。
【請求項３】
前記オーディオ出力装置から出力される音の大きさから、前記出力制御手段から出力される音の大きさを差し引いて得られるオフセット値を算出する算出手段をさらに含み、
前記制御手段は、前記オフセット値に基づいて、前記オーディオ出力装置が出力するオーディオデータに対応する音声の音量を調整する
請求項２に記載の出力制御装置。
【請求項４】
前記制御手段は、さらに、前記出力制御手段において出力されるオーディオデータと、
前記オーディオ出力装置において出力されるオーディオデータとが同一のタイミングで出力されるように制御する
請求項３に記載の出力制御装置。
【請求項５】
前記オーディオ出力装置のEDIDを取得する取得手段と、
前記出力制御装置のEDIDを保持する保持手段と、
前記出力制御装置のEDID、及び前記オーディオ出力装置のEDIDに基づいて、前記出力制御装置及び前記オーディオ出力装置により構成される出力制御システムのEDIDを生成する生成手段と
をさらに含む請求項４に記載の出力制御装置。
【請求項６】
前記制御手段は、前記オーディオ出力装置を制御して、前記オーディオ出力装置が有する複数の出力部から出力されるオーディオデータを設定する
請求項５に記載の出力制御装置。
【請求項７】
前記EDIDは、前記オーディオデータを受信してから出力するまでに要する時間を表すレイテンシ、オーディオデータを出力することが可能なチャンネル数、又は復号可能な符号化方法の少なくとも１つを含む
請求項５に記載の出力制御装置。
【請求項８】
前記受信手段は、前記統合ケーブルを介して前記符号化データを受信する
請求項１に記載の出力制御装置。
【請求項９】
前記統合ケーブルはHDMIケーブルであり、
前記制御手段は、前記HDMIケーブルのCECライン経由で前記オーディオ出力装置を制御する
請求項１に記載の出力制御装置。
【請求項１０】
前記送信手段は、前記符号化データを、前記HDMIケーブルのARCライン経由で前記オーディオ出力装置に送信する
請求項９に記載の出力制御装置。
【請求項１１】
前記送信手段は、復号後の前記複数チャンネル分のデータのうち、前記出力制御手段により出力が制御されたデータとは異なるデータを、前記HDMIケーブルのTMDSチャンネルライン経由で前記オーディオ出力装置に送信する
請求項９に記載の出力制御装置。
【請求項１２】
前記出力制御手段は、前記オーディオデータに対応する音声を出力する複数の出力部を制御して、対応する音声を出力させる
請求項１に記載の出力制御装置。
【請求項１３】
オーディオデータの出力を制御するオーディオ出力装置と接続されている出力制御装置の出力制御方法において、
前記出力制御装置は、
受信手段と、
復号手段と、
出力制御手段と、
送信手段と、
制御手段と
を含み、
前記受信手段が、複数チャンネル分のオーディオデータが符号化された符号化データを受信し、
前記復号手段が、前記符号化データを復号し、
前記出力制御手段が、復号により得られる前記複数チャンネル分のオーディオデータのうち、所定数のチャンネル分のオーディオデータの出力を制御し、
前記送信手段が、復号により得られる前記複数チャンネル分のオーディオデータのうち、前記出力制御手段により出力が制御されたオーディオデータとは異なるオーディオデータ、又は前記符号化データのいずれか一方を、少なくとも、ビデオライン、オーディオライン、及び制御ラインが統合されている統合ケーブルを介して接続されているオーディオ出力装置に送信し、
前記制御手段が、前記オーディオ出力装置を、前記統合ケーブルを介して制御する
ステップを含む出力制御方法。
【請求項１４】
オーディオデータの出力を制御するオーディオ出力装置と接続されている出力制御装置のコンピュータを、
複数チャンネル分のオーディオデータが符号化された符号化データを受信する受信手段と、
前記符号化データを復号する復号手段と、
復号により得られる前記複数チャンネル分のオーディオデータのうち、所定数のチャンネル分のオーディオデータの出力を制御する出力制御手段と、
復号により得られる前記複数チャンネル分のオーディオデータのうち、前記出力制御手段により出力が制御されたオーディオデータとは異なるオーディオデータ、又は前記符号化データのいずれか一方を、少なくとも、ビデオライン、オーディオライン、及び制御ラインが統合されている統合ケーブルを介して接続されているオーディオ出力装置に送信する送信手段と、
前記オーディオ出力装置を、前記統合ケーブルを介して制御する制御手段と
して機能させるためのプログラム。
【請求項１５】
複数チャンネル分のデータが符号化された符号化データを受信するマスタ装置と、前記マスタ装置に接続されたスレーブ装置とにより構成される出力制御システムにおいて、
前記マスタ装置は、
複数チャンネル分のオーディオデータが符号化された符号化データを受信する第１の受信手段と、
前記符号化データを復号する復号手段と、
復号により得られる前記複数チャンネル分のオーディオデータのうち、所定数のチャンネル分のオーディオデータの出力を制御する第１の出力制御手段と、
復号により得られる前記複数チャンネル分のオーディオデータのうち、前記第１の出力制御手段により出力が制御されたオーディオデータとは異なるオーディオデータを、少なくとも、ビデオライン、オーディオライン、及び制御ラインが統合されている統合ケーブルを介して接続されているスレーブ装置に送信する送信手段と、
前記スレーブ装置を、前記統合ケーブルを介して制御する制御手段と
を含み、
前記スレーブ装置は、
前記送信手段からのオーディオデータを受信する第２の受信手段と、
受信したオーディオデータの出力を制御する第２の出力制御手段と、
前記制御手段の制御により、所定の処理を実行する実行手段と
を含む
出力制御システム。
【手続補正２】
【補正対象書類名】明細書
【補正対象項目名】００２０
【補正方法】変更
【補正の内容】
【００２０】
前記統合ケーブルはHDMIケーブルであり、前記制御手段には、前記HDMIケーブルのCECライン経由で前記オーディオ出力装置を制御させることができる。
【手続補正３】
【補正対象書類名】明細書
【補正対象項目名】００２１
【補正方法】変更
【補正の内容】
【００２１】
前記送信手段には、前記符号化データを、前記HDMIケーブルのARCライン経由で前記オーディオ出力装置に送信させることができる。